(57)【特許請求の範囲】
【請求項１】
被写体が載置される載置面を有する載置部と、この載置部に設けられて前記被写体を撮影する撮影部とを備え、当該撮影部で撮影した被写体の映像信号を外部に出力する撮影装置であって、
前記撮影部は、前記被写体を上方から撮影するカメラ本体と、当該カメラ本体を折り畳み可能に支持する支持部とを備え、
前記支持部は、相互に折り畳み可能に接続された複数の支持部材を備えて構成され、これら複数の支持部材のうち、一端が前記載置部に折り畳み可能に取り付けられる基端側支持部材は、当該基端側支持部材に取り付けられている支持部材およびカメラ本体を折り畳むことで、これらの支持部材およびカメラ本体を内部に収納する収納体とされ、
前記載置部は、前記基端側支持部材が取り付けられる部分に、前記載置面よりも上方に突出して形成された突出部を有し、
この突出部の下部側には、前記載置面の面方向に沿ったスリットが形成されていることを特徴とする撮影装置。
【請求項２】
請求項１に記載の撮影装置において、
弾性力を利用して前記基端側支持部材を回動させる回動機構を有し、
前記回動機構は、前記基端側支持部材とともに回動する回動部材と、この回動部材および前記基端側支持部材を軸支する軸受部材とを備え、
前記回動部材には、前記軸受部材に接触しながら摺動する摺動部が設けられていることを特徴とする撮影装置。
【請求項３】
請求項２に記載の撮影装置において、
前記軸受部材には、前記基端側支持部材を起こす方向に回動させた際の回動停止位置手前で前記摺動部を係止する係止部が設けられていることを特徴とする撮影装置。
【請求項４】
請求項２または請求項３に記載の撮影装置において、
前記載置部には、一対の照明器具が折り畳み可能に設けられ、
前記基端側支持部材は、前記載置面上の中央部分に折り畳まれ、
前記一対の照明器具は、前記載置面上に折り畳んだ際、前記基端側支持部材の両側に配置されることを特徴とする撮影装置。
【請求項５】
請求項１から請求項４のいずれかに記載の撮影装置において、
前記載置部および載置面は、平面四角形状に形成され、
前記載置部上面には、前記被写体の移動方向に略直交する載置面の少なくとも一辺に沿って複数の操作ボタンが設けられており、
これら複数の操作ボタンのうち、使用頻度の高い操作ボタンは、前記被写体の移動領域に重ならない位置に配置されていることを特徴とする撮影装置。
【請求項６】
請求項５に記載の撮影装置において、
前記載置面には、前記被写体の移動方向を規定する移動規定用記号が付けられていることを特徴とする撮影装置。
【請求項７】
請求項６に記載の撮影装置において、
前記移動規定用記号は、前記撮影部での撮影範囲を示す記号を兼ねていることを特徴とする撮影装置。
【請求項８】
請求項１から請求項７のいずれかに記載の撮影装置において、
前記外部に出力した映像信号の出力状態を保持する保持機能を備えているとともに、当該保持機能が動作中であるか否かを表示する保持機能表示部が設けられていることを特徴とする撮影装置。
【請求項９】
請求項１から請求項８のいずれかに記載の撮影装置において、
前記被写体に対する前記撮影部の焦点を自動的に合わせる自動焦点設定機能を備えているとともに、当該自動焦点設定機能が動作中であるか否かを表示する自動焦点設定機能表示部が設けられていることを特徴とする撮影装置。
【発明の詳細な説明】
【０００１】
【発明の属する技術分野】
本発明は、被写体が載置される載置面を有する載置部と、この載置部に設けられて被写体を撮影する撮影部とを備え、当該撮影部で撮影した被写体の映像信号を外部に出力する撮影装置に関するものである。
【０００２】
【背景技術】
従来より、書画等の被写体が載置される載置面を有する載置部と、この載置部に設けられて被写体を撮影する撮影部とを備え、当該撮影部で撮影した被写体の映像信号を外部に出力する撮影装置がある。
ここで、撮影部は、載置部に折り畳み可能に取り付けられた棒状の支持部材と、この支持部材の先端に折り畳み可能に取り付けられ、当該載置面に載置された書画等の被写体を撮影するカメラ本体とを備えて構成されている。これにより、持ち運んだり、所定の場所に収納する際、支持部材を折り畳むことで、撮影装置のコンパクト化が図れるようになっている。
【０００３】
また、載置部および載置面は、平面四角形状に形成され、載置部上面の載置面近傍には、当該載置面の一辺に沿って複数の操作ボタンが設けられている。これらの操作ボタンは、載置面の一辺の中央付近に集まって配置されている。
【０００４】
さらに、複数の操作ボタンには、外部に出力した映像信号の出力状態を保持する保持機能を有するフリーズボタン、および被写体に対するカメラ本体の焦点を自動的に合わせる自動焦点設定機能を有するオートフォーカスボタンがある。
【０００５】
【発明が解決しようとする課題】
このような撮影装置では、支持部材を折り畳んでも、カメラ本体は、外部に露出した状態となっているため、持ち運ぶ途中に壁等にぶつけて傷が付いてしまったり、収納しておいても埃が付いて汚れてしまうという問題がある。
【０００６】
また、このような撮影装置では、複数の操作ボタンが載置面の一辺の中央付近に集まって配置されているので、載置面上で被写体（例えば、紙等）を動かした際、操作ボタンが被写体で隠れることがあり、操作しにくいという問題がある。
【０００７】
さらに、このような撮影装置では、フリーズボタンを押して、外部に出力した映像信号の出力状態を保持した後、当該フリーズボタンを押したか否かの識別ができないので、被写体を変更しても映像信号が変更しないことがあり、フリーズボタンの操作状態がわかりにくいという問題がある。
同様に、このような撮影装置では、オートフォーカスボタンを押すなどして、焦点を自動的に合わせるが、所定時間大幅なフォーカス動作がないと、レンズを駆動するモータの摩耗を防止するために、当該モータが自動的に止まることがあるので、被写体を変更した際、被写体に対するカメラ本体の焦点がぼけることがある。この場合も、モータが駆動してフォーカス動作が行われているか否かの識別ができず、オートフォーカスボタンの操作状態がわかりにくいという問題がある。
【０００８】
本発明の第１の目的は、カメラ本体に汚れや傷等が付くのを防止することが可能な撮影装置を提供することにある。
本発明の第２の目的は、操作性を向上させることが可能な撮影装置を提供することにある。
本発明の第３の目的は、操作状態の判断を容易に行うことが可能な撮影装置を提供することにある。
【０００９】
【課題を解決するための手段】
本発明は、被写体が載置される載置面を有する載置部と、この載置部に設けられて被写体を撮影する撮影部とを備え、当該撮影部で撮影した被写体の映像信号を外部に出力する撮影装置であって、撮影部は、被写体を上方から撮影するカメラ本体と、当該カメラ本体を折り畳み可能に支持する支持部とを備え、支持部は、相互に折り畳み可能に接続された複数の支持部材を備えて構成され、これら複数の支持部材のうち、一端が載置部に折り畳み可能に取り付けられる基端側支持部材は、当該基端側支持部材に取り付けられている支持部材およびカメラ本体を折り畳むことで、これらの支持部材およびカメラ本体を内部に収納する収納体とされ、載置部は、基端側支持部材が取り付けられる部分に、載置面よりも上方に突出して形成された突出部を有し、この突出部の下部側には、載置面の面方向に沿ったスリットが形成されていることを特徴とする。
ここで、被写体としては、文字や絵が書かれた紙や、より立体的な物等が挙げられる。
また、スリットの長さ寸法としては、例えば、撮影する紙等の幅寸法に応じた寸法が採用できる。
このような本発明によれば、一端が載置部に折り畳み可能に取り付けられる基端側支持部材が収納体となっているので、他の支持部材およびカメラ本体を折り畳み、これらを基端側支持部材内に収納した後、基端側支持部材を折り畳むことで、当該カメラ本体を基端側支持部材でカバーすることが可能となる。これにより、持ち運び時や収納時に、カメラ本体に汚れや傷等が付くのを防止することが可能となる。
【００１０】
また、前述の載置部は、基端側支持部材が取り付けられる部分に、載置面よりも上方に突出して形成された突出部を有し、この突出部の下部側には、載置面の面方向に沿ったスリットが形成されているので、載置面で紙等の被写体をずらした際、このスリットに挿入することにより、被写体を突出部に邪魔されずにずらすことが可能となる。
【００１１】
また、前述の撮影装置は、弾性力を利用して基端側支持部材を回動させる回動機構を有し、この回動機構は、基端側支持部材とともに回動する回動部材と、この回動部材および基端側支持部材を軸支する軸受部材とを備え、回動部材には、軸受部材に接触しながら摺動する摺動部が設けられていることが望ましい。
このように、回動部材に、軸受部材に接触しながら摺動する摺動部を設ければ、バネ等の弾性力による基端側支持部材の回動を、摺動部の接触抵抗により適切に減速することができ、これにより、使い勝手のよい撮影装置とすることが可能となる。
また、摺動部の接触抵抗を大きくすれば、摺動する範囲において、任意の位置に付勢することが可能となるとともに、撮影部の落下等も簡単に防止でき、この点からも、使い勝手のよい撮影装置とすることが可能となる。
【００１２】
さらに、前述の軸受部材には、基端側支持部材を起こす方向に回動させた際の回動停止位置手前で摺動部を係止する係止部が設けられていることが好ましい。このようにすれば、摺動部を係止部に係止することで、基端側支持部材の回動途中での落下等を簡単に防止することが可能となるとともに、摺動部を係止部で係止した後、さらに、基端側支持部材を起こす方向に回動させ、回動停止位置で固定すればよいので、基端側支持部材を一度に回動停止位置に回動させる必要がなく、２段階で回動させればよいので、大きな力を必要とせず、これにより、基端側支持部材を簡単に起こすことが可能となる。
【００１３】
また、載置部には、一対の照明器具が折り畳み可能に設けられ、基端側支持部材は、載置面上の中央部分に折り畳まれ、一対の照明器具は、載置面上に折り畳んだ際、基端側支持部材の両側に配置されることが望ましい。
このようにすれば、持ち運ぶ際、または所定の位置に収納する際に、重量の偏りがほとんどないので、容易に作業を行うことが可能となるとともに、基端側支持部材を中心に一対の照明器具が左右対称に配置されるので、基端側支持部材および照明器具の全部を折り畳んだ際の外観を向上させることが可能となる。
【００１４】
また、前述の撮影装置は、載置部および載置面は、平面四角形状に形成され、載置部上面には、被写体の移動方向に略直交する載置面の少なくとも一辺に沿って複数の操作ボタンが設けられており、これら複数の操作ボタンのうち、使用頻度の高い操作ボタンは、被写体の移動領域に重ならない位置に配置されていることが好ましい。
例えば、載置面に載置した紙等の被写体を、当該載置面の一辺に直交する方向に動かす場合、当該一辺に沿って設けられている複数の操作ボタンの一部が隠されてしまうことがある。
そこで、複数の操作ボタンのうち、例えば、拡大・縮小（ズーム）ボタンや、焦点設定（フォーカス）ボタン等の使用頻度の高い操作ボタンを、被写体の移動領域に重ならない位置に配置することで、撮影装置を容易に操作することが可能となる。これにより、撮影装置の操作性を向上させることが可能となる。さらに、例えば、載置面の一辺に沿って設ける複数の操作ボタンを、載置面の直交する二辺に沿って設ければ、操作ボタンの配置を二辺に分散させた分、前記載置面の一辺の長手方向に沿った幅寸法を小さくすることができ、これにより、撮影装置の小型化を図ることが可能となる。
【００１５】
以上において、前述の載置面には、被写体の移動方向を規定する移動規定用記号が付けられていることが好ましい。ここで、移動規定用記号は、撮影部での撮影範囲を示す記号を兼ねていてもよい。
このようにすれば、被写体の移動方向や撮影範囲を予め知ることができるので、当該被写体を移動規定用記号に基づいて載置するだけでよく、これにより、撮影を迅速に行うことが可能となる。
【００１６】
また、前述の撮影装置は、外部に出力した映像信号の出力状態を保持する保持機能を備えているとともに、当該保持機能が動作中であるか否かを表示する保持機能表示部が設けられていることが好ましい。
このような本発明によれば、保持機能表示部によって、保持機能の動作状態、例えば、保持機能を有する保持ボタンを押したか否かが容易にわかるので、これにより、操作状態の判断を容易に行うことが可能となる。
【００１７】
さらに、前述の撮影装置は、被写体に対する撮影部の焦点を自動的に合わせる自動焦点設定機能を備えているとともに、当該自動焦点設定機能が動作中であるか否かを表示する自動焦点設定機能表示部が設けられていることが好ましい。
このような本発明によれば、自動焦点設定機能表示部によって、自動焦点設定機能の動作状態、例えば、自動焦点設定機能を有する自動焦点設定ボタンを押したか否かが容易にわかるので、これにより、操作状態の判断を容易に行うことが可能となる。
【００１８】
【発明の実施の形態】
以下に本発明の実施の形態を図面に基づいて説明する。
図１には、本発明の一実施形態に係る撮影装置１が示されている。
撮影装置１は、文字や絵が書かれた紙（書画）や、より立体的な物等の被写体が載置される載置面２１を有する載置部２と、この載置部２に設けられて被写体を撮影する撮影部３と、撮影部３の両側に配置された一対の照明器具４とを備え、当該撮影部３で撮影した被写体の映像信号を外部に出力するものである。
【００１９】
載置部２は、当該載置部２の上部を形成するアッパーケース１０と、載置部２の下部を形成するロアーケース３０とを備え、平面長方形状に形成されている。アッパーケース１０は、上面１２に書画等の被写体が載置される載置面２１が形成された平面長方形状の上面部１１と、この上面部１１の一側端部に形成された側面略台形状の突出部１６とを備えて一体に形成されている。
【００２０】
載置面２１には、被写体の移動方向を規定するＬ形状の移動規定用記号２１Ａが付けられている。この移動規定用記号２１Ａは、載置面内に、四角枠の角隅部分となる４箇所に付けられている。また、この移動規定用記号２１Ａは、撮影部３での撮影範囲を示す記号を兼ねている。従って、載置面２１の４箇所に付けられた移動規定用記号２１Ａに囲まれた部分に被写体を置くだけで、撮影を行えるようになっている。なお、移動規定用記号２１Ａで囲まれた部分の大きさは、撮影装置１の大きさや性能に応じて決められている。
【００２１】
さらに、突出部１６と対向する上面部１１の側端部分には、載置面２１の一辺に沿って、係合部２２と、複数の操作ボタン２３〜２５、２８Ａ、２８Ｂ、２９とが設けられている。
係合部２２は、後述する基端側支持部材５６に設けられている開閉フック５９が係合するものであり、載置面２１の一辺の長手方向中間部分近傍に設けられている。
【００２２】
複数の操作ボタンとしては、被写体に対する撮影部３（後述するカメラ本体４０）の焦点を自動的に合わせる自動焦点設定機能を有する自動焦点設定ボタンであるオートフォーカスボタン２３、被写体に対する撮影部３（後述するカメラ本体４０）の焦点を手動で合わせる手動焦点設定機能を有する手動焦点設定ボタンであるフォーカスボタン２８Ａ、２８Ｂ、外部に出力した映像信号の出力状態を保持する保持機能を有する保持ボタンであるフリーズボタン２４、被写体の拡大・縮小を行う拡大・縮小機能を有する拡大・縮小ボタンであるズームボタン２５、後述する照明器具４の照明ランプ４Ｂの点灯・消灯を行うためのランプボタン２９が挙げられる。
【００２３】
フォーカスボタン２８Ａ、２８Ｂは、図１において、係合部２２から突出部１６に向かって上面部１１の一番左端に配置されている。これらのうち、フォーカスボタン２８Ａは、被写体に対する撮影部３の距離を近づけて焦点を合わせるためのボタンであり、フォーカスボタン２８Ｂは、被写体に対する撮影部３の距離を遠ざけて焦点を合わせるためのボタンである。ここで、手動焦点設定機能は、後述するレンズを駆動するモータを含んで構成されており、フォーカスボタン２８Ａ、２８Ｂを押すことで動くようになっている。
オートフォーカスボタン２３は、フォーカスボタン２８Ｂの右側に配置されている。このオートフォーカスボタン２３の右側には、自動焦点設定機能が動作中であることを表示する自動焦点設定機能表示部であるフォーカスランプ２６が設けられている。ここで、自動焦点設定機能は、後述するレンズを駆動するモータを含んで構成されており、所定時間大幅なフォーカス動作がないと、モータ等が自動的に止まるようになっている。フォーカスランプ２６は、この自動焦点設定機能の停止に伴って消灯するようになっている。
【００２４】
ズームボタン２５は、図１おいて、係合部２２から突出部１６に向かって上面部１１の一番右端に配置されている。ランプボタン２９は、ズームボタン２５の左側に配置されている。
フリーズボタン２４は、ランプボタン２９の左側に配置されている。このフリーズボタン２４の左側には、保持機能が動作中であることを表示する保持機能表示部であるフリーズランプ２７が設けられている。
【００２５】
突出部１６は、載置面２１よりも上方に突出して形成され、載置面２１に面する側面１７の下部側には、当該突出部１６の長手方向に沿って、かつ、載置面２１の面方向に沿ったスリット１８が形成されている。このスリット１８の長さ寸法は、当該スリット１８の長手方向に沿って対向する移動規定用記号２１Ａ間の幅寸法に応じた寸法となっている。これにより、図２に示されるように、紙等の被写体をずらした際、スリット１８に挿入することにより、被写体を突出部１６に邪魔されずにずらすことが可能となっている。
【００２６】
ここで、前述のフォーカスボタン２８Ａ、２８Ｂおよびズームボタン２５は、使用頻度が高いので、図２に示されるように、紙等の被写体を移動規定用記号２１Ａに合わせて配置し、紙等をスリット１８に挿入する方向に動かした際、その被写体の移動領域に重ならない位置、言い換えると、係合部２２から突出部１６に向かって上面部１１の両側端部に配置されている。
【００２７】
一方、突出部１６の側面１７には、その長手方向両端部近傍に前述の一対の照明器具４がそれぞれ設けられている。各照明器具４は、クランク状に折り曲げられた鉄製中空の棒状部材４Ａと、この棒状部材４Ａの一端に取り付けられた照明ランプ４Ｂとを備えて構成されている。なお、棒状部材４Ａの他端は、突出部１６の内部に挿入され、後述する軸受部材６１に回動自在に取り付けられている。照明ランプ４Ｂは、棒状部材４Ａを回動することで、後述するカメラ本体４０の両側に配置されるようになっており、これにより、載置面２１に載置された被写体を明るく撮影することが可能となっている。
【００２８】
さらに、突出部１６の長手方向中間部分には、上方に開放された開口１９が形成されている。この開口１９から、内部の回動機構６０（後述）に取り付けられている撮影部３が突出している。つまり、突出部１６は、回動機構６０を被覆するものであり、これにより、撮影装置１の外観を向上させている。また、突出部１６の上面には、回動機構６０を構成する制御レバー６３Ａが露出している。
【００２９】
ロアーケース３０は、載置部２の底面を形成する平面長方形状の底面部３１と、この底面部３１の周縁から上方に延び、載置部２の側面を形成する立ち上がり部３２とを備えて断面コ字形状に形成されている。
立ち上がり部３２の図１中手前側には、撮影装置１の電源スイッチ３２Ａが設けられている。また、電源スイッチ３２Ａの横には、電源スイッチ３２Ａをオンした状態で点灯する電源ランプ３２Ｂが露出している。
【００３０】
撮影部３は、被写体を上方から撮影するカメラ本体４０と、このカメラ本体４０を折り畳み可能に支持する支持部５０とを備えて構成されている。
支持部５０は、相互に折り畳み可能に接続された２つの支持部材５１、５６を備えて構成されている。ここで、これら２つの支持部材５１、５６のうち、一方の支持部材５１は、一端がカメラ本体４０に折り畳み可能に接続された先端側支持部材となっているとともに、他方の支持部材５６は、一端が載置部２内部に設けられている回動機構６０に回動可能に取り付けられる基端側支持部材となっている。
カメラ本体４０は、略円柱状に形成されたものであり、先端に図示しないレンズが設けられている。このレンズは、前述のオートフォーカスボタン２３、フォーカスボタン２８Ａ、２８Ｂ、ズームボタン２５を押すことで、上下に動作したり、所定位置で停止するようになっている。
【００３１】
先端側支持部材５１は、カメラ本体４０を両側から挟持するように支持する一対のアーム５２を含んで構成されている。一対のアーム５２間には、カメラ本体４０の幅寸法よりも若干大きい幅寸法の空間５３が形成されている。つまり、カメラ本体４０を折り畳むことで、当該カメラ本体４０が前記空間５３に嵌入されるようになっている。
基端側支持部材５６は、凹部５７Ａを有する蓋状に形成された本体５７と、この本体５７に形成され、先端側支持部材５１のアーム５２を折り畳み可能に支持するアーム支持部５８とを備えて構成されている。本体５７の凹部５７Ａは、カメラ本体４０および先端側支持部材５１の形状に応じて形成されており、カメラ本体４０が嵌入された先端側支持部材５１を凹部５７Ａに向かって折り畳むことで、当該カメラ本体４０および先端側支持部材５１が凹部５７Ａに収納されるようになっている。つまり、基端側支持部材５６は、先端側支持部材５１およびカメラ本体４０を内部に収納する収納体とされている。
また、本体５７のアーム支持部５８側の先端には、前述の係合部２２に係合する開閉フック５９が設けられている。
【００３２】
このような基端側支持部材５６は、図３に示されるように、回動機構６０に取り付けられている。
回動機構６０は、弾性力を利用して基端側支持部材５６を回動させるものであり、基端側支持部材５６の両側に設けられるとともに、前述の照明器具４の棒状部材４Ａが取り付けられる一対の軸受部材６１と、この軸受部材６１と基端側支持部材５６の端部とをそれぞれ相互に連結する円柱状の軸部６２と、基端側支持部材５６の回動の停止および作動を制御する制御部６３と、基端側支持部材５６を回動させるためのバネ６４とを備えて構成されている。
【００３３】
一対の軸部６２は、それぞれ一端が板状の係止部材６５を介して基端側支持部材５６に接続されているとともに、他端が板状の回動部材６６、６７を介して軸受部材６１に接続（軸支）されている。
各係止部材６５は、軸部６２とともに回動するものである。この係止部材６５の先端部分には、円弧状に切り欠かれた切欠部６５Ａが形成されている。切欠部６５Ａは、後述する制御部６３に接続されるようになっている。
【００３４】
各回動部材６６、６７は、係止部材６５と同様に、軸部６２とともに回動するものである。これらのうち、図３中、基端側支持部材５６の左側に設けられた回動部材６６には、一端がロアーケース３０に固定されたバネ６４が取り付けられている。このバネ６４は、基端側支持部材５６を倒すと延び、起こすと縮んで元の長さに戻るようになっている。
【００３５】
また、図３中、基端側支持部材５６の右側に設けられた回動部材６７には、図４に示されるように、当該回動部材６７の側面から突出し、基端側支持部材５６の回動とともに軸受部材６１の側面に接触して摺動する球面状の摺動部６７Ａが形成されている。
さらに、軸受部材６１には、摺動部６７Ａを係止する係止部である係止孔６１Ａが形成されている。この係止孔６１Ａは、摺動部６７Ａの摺動路（図４（Ａ）の一点鎖線間）に、かつ、基端側支持部材５６を起こす方向に回動させた際の後述する回動停止位置よりも手前に形成されている。
【００３６】
制御部６３は、前述の制御レバー６３Ａと、この制御レバー６３Ａの操作によって動作する可動部６３Ｂと、軸受部材６１間を相互に連結する棒状部材６３Ｃとを備えて構成されている。
棒状部材６３Ｃは、図３に示されるように、軸部６２の手前側に配置され、基端側支持部材５６と離間する方向に平行移動できるように軸受部材６１に取り付けられている。
また、図３に示されるように、撮影装置１を使用する際には、前述の係止部材６５の切欠部６５Ａが棒状部材６３Ｃに係合されるようになっている。つまり、棒状部材６３Ｃに切欠部６５Ａが係合した状態が基端側支持部材５６の回動停止位置となっている。
可動部６３Ｂは、制御レバー６３Ａを動かすと、棒状部材６３Ｃに接触し、当該棒状部材６３Ｃを基端側支持部材５６と離間する方向に押し出すように動く。つまり、制御レバー６３Ａを動かして、可動部６３Ｂによって棒状部材６３Ｃを基端側支持部材５６と離間する方向に移動することで、棒状部材６３Ｃと切欠部６５Ａとの係合を解除することができ、これにより、基端側支持部材５６を折り畳むことができるようになっている。
【００３７】
このような撮影装置１は、持ち運び時や収納時には、図５に示されるように、コンパクトにする。
詳しくは、図５（Ａ）に示されるように、まず、カメラ本体４０を折り畳み、アーム５２間に当該カメラ本体４０を嵌入する。そして、図５（Ｂ）に示されるように、カメラ本体４０が嵌入された先端側支持部材５１を折り畳んで基端側支持部材５６の凹部５７Ａに収納するとともに、棒状部材４Ａを折り畳んで載置面２１上に折り畳む。
次に、前述の制御レバー６３Ａを操作して可動部６３Ｂを動かし、この可動部６３Ｂで棒状部材６３Ｃを基端側支持部材５６と離間する方向に移動させて切欠部６５Ａの係合を解除する。棒状部材６３Ｃを切欠部６５Ａとの係合を解除した後、図５（Ｃ）に示されるように、基端側支持部材５６を回動して上面部１１の上面１２に倒すようにして折り畳み、開閉フック５９を係合部２２に係合する。このようにすることで、平面視で上面部１１の載置面２１上の中央部分に基端側支持部材５６が折り畳まれて配置され、その両側に照明器具４が折り畳まれて配置され、コンパクトになる。
【００３８】
このような撮影装置１の使用手順を以下に説明する。
まず、図５（Ｃ）の状態で収納されていた撮影装置１を所定の位置に設置し、撮影可能な状態にする。
詳しくは、開閉フック５９を押し、基端側支持部材５６を起こす。この際、摺動部６７Ａが軸受部材６１の側面に接触し、接触抵抗を持って摺動することにより、基端側支持部材５６は、ゆっくりと回動して起き上がる。
次に、基端側支持部材５６を回動停止位置の手前まで回動し、摺動部６７Ａを係止孔６１Ａに嵌合する。摺動部６７Ａを係止孔６１Ａで係止した後、さらに、基端側支持部材５６を起こす方向に回動し、係止部材６５の切欠部６５Ａを棒状部材６３Ｃに係合させる。これにより、基端側支持部材５６が回動停止位置で固定される。この際、摺動部６７Ａは、基端側支持部材５６の回動とともに、係止孔６１Ａから外れ、図４（Ａ）の摺動路上の先端部分Ａまで移動する。
そして、先端側支持部材５１を回動し、基端側支持部材５６の凹部５７Ａから取り出すとともに、先端側支持部材５１に嵌入しているカメラ本体４０を回動して所定の位置に配置する。
そして、棒状部材４Ａを回動し、照明ランプ４Ｂを所定の位置に配置する。
【００３９】
この後、撮影装置１にプロジェクタ等の外部投写型表示装置を接続し、これらの電源を入れ、撮影部３で撮影した被写体の映像信号をプロジェクタで投写可能な状態としておく。ここで、一対の照明器具４のうち、一方の照明器具４には、他方の照明器具４の照明ランプ４Ｂよりも遅れて（時間をずらして）照明ランプ４Ｂを点灯させるリレー回路（図示略）が組み込まれており、これにより、撮影装置１に電源を入れ、ランプボタン２９を押すと、一対の照明ランプ４Ｂが時間をずらして順次点灯するようになっている。
【００４０】
そして、図２に示されるように、載置面２１の移動規定用記号２１Ａで囲まれた部分に紙等の被写体を載置する。投写された映像を見ながら、被写体をずらし、出力したい映像部分を選択する。次に、ズームボタン２５を押し、被写体の投写される映像を所望の大きさにする。ここで、ズームボタン２５を押すと、カメラ本体４０のレンズを駆動するモータが一定時間低速駆動後、所望の倍率まで高速駆動する。これにより、映像の拡大・縮小を短時間で行える。
また、ズームボタン２５を押して、映像の拡大・縮小が行われると、自動的に自動焦点設定機能が動作し、自動的に焦点が合わされる（フォーカスランプ２６が点灯する）。さらに、焦点を合わせたい場合には、フォーカスボタン２８Ａ、２８Ｂを押して焦点を手動で合わせる。
焦点を合わせた後、フリーズボタン２４を押して映像信号の出力状態を保持する（フリーズランプ２７が点灯する）。なお、自動焦点設定機能は、作動してから所定時間大幅なフォーカス動作がないと、自動的に切れるようになっている（フォーカスランプ２６が消灯する）。また、ズームボタン２５を押して、映像の拡大・縮小が行う必要がなければ、被写体を載置した後、オートフォーカスボタン２３を押して焦点を自動的に合わせる。
被写体を変える場合には、再度フリーズボタン２４を押して、保持機能を解除し（フリーズランプ２７が消灯する）、前述と同様の操作を行う。このようにして、撮影装置１を使用する。
【００４１】
このような本実施形態によれば、次のような効果が得られる。
すなわち、基端側支持部材５６を収納体としたので、先端側支持部材５１およびカメラ本体４０を折り畳み、これらを基端側支持部材５６内に収納した後、基端側支持部材５６を折り畳むことで、当該カメラ本体４０を基端側支持部材５６でカバーすることができる。これにより、持ち運び時や収納時に、カメラ本体４０に汚れや傷等が付くのを防止することができる。
【００４２】
また、突出部１６の側面１７の下部側にスリット１８を形成したので、載置面２１で紙等の被写体をずらした際、このスリット１８に挿入することにより、被写体を突出部１６に邪魔されずにずらすことができる。
【００４３】
さらに、回動部材６７に、軸受部材６１に接触しながら摺動する摺動部６７Ａを設けたので、バネ等の弾性力による基端側支持部材５６の回動を、摺動部６７Ａの接触抵抗により適切に減速することができ、これにより、使い勝手のよい撮影装置１とすることができる。また、摺動部６７Ａの接触抵抗を大きくすることで、摺動する範囲において、任意の位置に付勢することができるとともに、撮影部３の落下等も簡単に防止でき、この点からも、使い勝手のよい撮影装置１とすることが可能となる。
【００４４】
さらに、軸受部材６１に摺動部６７Ａを係止する係止孔６１Ａを設けたので、摺動部６７Ａを係止孔６１Ａに係止することで、基端側支持部材５６の回動途中での落下等を簡単に防止することができるとともに、摺動部６７Ａを係止孔６１Ａで係止した後、さらに、基端側支持部材５６を起こす方向に回動させ、回動停止位置で固定するので、基端側支持部材５６を一度に回動停止位置に回動させる必要がなく、２段階で回動させればよく、大きな力を必要とせず、これにより、基端側支持部材５６を簡単に起こすことができる。
【００４５】
また、一対の照明器具４を、載置面２１上に折り畳んだ際、基端側支持部材５６の両側に配置するようにしたので、持ち運ぶ際、または所定の位置に収納する際に、重量の偏りがほとんどなく、容易に作業を行うことができるとともに、基端側支持部材５６を中心に一対の照明器具４を左右対称に配置したので、基端側支持部材５６および照明器具４の全部を折り畳んだ際の外観が向上する。
【００４６】
さらに、フォーカスボタン２８Ａ、２８Ｂおよびズームボタン２５等の使用頻度の高い操作ボタンを、被写体の移動領域に重ならない位置に配置したので、撮影装置１を容易に操作することができ、これにより、当該撮影装置１の操作性を向上させることができる。
【００４７】
また、載置面２１に移動規定用記号２１Ａを付けたので、被写体の移動方向や撮影範囲を予め知ることができ、当該被写体を移動規定用記号２１Ａに基づいて載置するだけでよく、これにより、撮影を迅速に行うことができる。
【００４８】
さらに、フリーズランプ２７を設けたので、保持機能の動作状態、つまり、フリーズボタン２４を押したか否かが容易にわかり、これにより、操作状態の判断を容易に行うことができる。
【００４９】
また、フォーカスランプ２６を設けたので、自動焦点設定機能の動作状態、つまり、オートフォーカスボタン２３を押したか否かが容易にわかり、これにより、操作状態の判断を容易に行うことができる。
【００５０】
さらに、一対の照明ランプ４Ｂを時間をずらして順次点灯するようにしたので、小容量の電源（コンデンサ）でよく、これにより、照明器具の省電力化、ひいては、撮影装置１の省電力化を行うことができる。
【００５１】
なお、本発明は前記実施の形態に限定されるものではなく、本発明の目的を達成できる他の構成等を含み、以下に示すような変形等も本発明に含まれる。
例えば、前記実施形態では、照明器具４を折り畳んだ際、基端側支持部材５６の両側に配置するようにしたが、これに限らず、例えば、照明器具と基端側支持部材とを左右に分けて配置するようにしてもよい。
【００５２】
さらに、前記実施形態では、軸受部材６１に摺動部６７Ａを係止する係止孔６１Ａを形成したが、係止部の形状はこれに限らず、摺動部を係止できればよく、摺動部の形状に合わせて適宜形成すればよい。
【００５３】
また、前記実施形態では、回動部材６７に軸受部材６１上を摺動する摺動部６７Ａを設けたが、基端側支持部材５６をゆっくりと回動させる構成はこれに限らず、その構成は実施に当たって適宜決めればよい。
【００５４】
さらに、前記実施形態では、操作ボタン２３〜２５、２８Ａ、２８Ｂ、２９を、載置面の一辺に沿って設けたが、これに限らず、例えば、載置面の直交する二辺に沿って設けてもよい。このようにすれば、操作ボタンの配置を二辺に分散させた分、載置面の一辺の長手方向に沿った幅寸法を小さくすることができ、これにより、撮影装置の小型化を図ることができる。
【００５５】
【発明の効果】
以上に述べたように、本発明の撮影装置によれば、カメラ本体に汚れや傷等が付くのを防止することができ、操作性を向上させることができ、操作状態の判断を容易に行うことができるという効果がある。
【図面の簡単な説明】
【図１】本発明の一実施形態における撮影装置を示す斜視図である。
【図２】前記実施形態における撮影装置を示す斜視図である。
【図３】前記実施形態における回動機構を示す斜視図である。
【図４】前記実施形態における回動機構の一部を示す拡大図である。
【図５】前記実施形態における撮影装置の収納手順を示す図である。
【符号の説明】
２  載置部
３  撮影部
４  照明器具
１２  上面
１６  突出部
１７  側面
１８  スリット
２１  載置面
２１Ａ  移動規定用記号
２３  オートフォーカスボタン
２４  フリーズボタン
２５  ズームボタン
２６  自動焦点設定機能表示部であるフォーカスランプ
２７  保持機能表示部であるフリーズランプ
２８Ａ、２８Ｂ  フォーカスボタン
４０  カメラ本体
５０  支持部
５６  基端側支持部材
６０  回動機構
６１  軸受部材
６１Ａ  係止部である係止孔
６７  回動部材
６７Ａ  摺動部
【図１】
0003925074.tif 000002
【図２】
0003925074.tif 000003
【図３】
0003925074.tif 000004
【図４】
0003925074.tif 000005
【図５】
0003925074.tif 000006